(57)【特許請求の範囲】
【請求項１】
表示板と、前記表示板を指示する指示部を有する指針と、前記指針を回動させる指針駆動部と、前記指示部を光輝させる第一の照明光を発する第一の発光素子と、第二の照明光を発する第二の発光素子と、を備え、
前記指針は、前記第一の発光素子が発した前記第一の照明光を反射させる反射面と、前記反射面が視認されないように前記反射面を隠す指針キャップと、前記第二の発光素子が発した前記第二の照明光を前記指針キャップの前面側に導く導光部と、前記指示部と前記導光部の間に配設された遮光部と、を有することを特徴とする指針式計器装置。
【請求項２】
前記導光部は、前記第二の照明光を前記指針キャップの前面側に反射させる第二の反射面を有することを特徴とする請求項１に記載の指針式計器装置。
【請求項３】
前記第一の発光素子が発する前記第一の照明光は第一の照明色を有すると共に、前記第二の発光素子が発する前記第二の照明光は、前記第一の照明色とは異なる第二の照明色を有することを特徴とする請求項１に記載の指針式計器装置。
【請求項４】
前記表示板を透過照明する第三の発光素子を備えたことを特徴とする請求項１に記載の指針式計器装置。
【発明の詳細な説明】
【技術分野】
【０００１】
本発明は、文字板を指示する指針の指示部が光輝する指針式計器装置に関するものである。
【背景技術】
【０００２】
従来より、文字板の指標部を指示する指針を備えた指針式計器装置が種々提案されており、例えば特許文献１に開示されている。斯かる指針式計器装置は、指針駆動部の回動軸に対し略直交方向に伸長する透光性材料からなる指示部と、回動軸を中心とすると共に指示部と接続される指針基部と、この指針基部を覆う遮光性材料からなる遮光体と、この遮光体の周囲から露出するとともに指針基部に形成された発光部から構成されている。
【先行技術文献】
【特許文献】
【０００３】
【特許文献１】特開２００３−４２８１６号公報
【発明の概要】
【発明が解決しようとする課題】
【０００４】
しかしながら、前述した指針式計器装置は、指示部と発光部とを個別に点灯することができないという問題を有していた。また、指示部と発光部とが同色発光であるため、デザイン性，装飾性が低く、更なる改良の余地を有していた。
本発明は、この問題に鑑みなされたものであり、装飾性が高い指針式計器装置を提供するものである。
【課題を解決するための手段】
【０００５】
本発明は、表示板１０と、前記表示板１０を指示する指示部２１を有する指針２０と、前記指針２０を回動させる指針駆動部３０と、前記指示部２１を光輝させる第一の照明光を発する第一の発光素子４１と、第二の照明光を発する第二の発光素子４２と、を備え、前記指針２０は、前記第一の発光素子４１が発した前記第一の照明光を反射させる反射面２１ｂと、前記反射面２１ｂが視認されないように前記反射面２１ｂを隠す指針キャップ２２と、第二の発光素子４２が発した第二の照明光を前記指針キャップ２２の前面側に導く導光部２３と、前記指示部２１と前記導光部２３の間に配設された遮光部２７と、を有するものである。
【０００６】
また、本発明は、前記導光部２３は、前記第二の照明光を前記指針キャップ２２の前面側に反射させる第二の反射面２３ｃを有するものである。
【０００７】
また、本発明は、前記第一の発光素子４１が発する前記第一の照明光は第一の照明色を有すると共に、前記第二の発光素子４２が発する前記第二の照明光は、前記第一の照明色とは異なる第二の照明色を有するものである。
【０００８】
また、本発明は、前記表示板１０を透過照明する第三の発光素子４３を備えたものである。
【発明の効果】
【０００９】
指針の指示部を光輝させる第一の発光素子と、指針キャップの前面を照明する第二の発光素子とを設けたことにより、指針の指示部と、指針キャップの前面とを個別に照明することができる。
【図面の簡単な説明】
【００１０】
【図１】本発明の実施形態を示す断面図。
【図２】同上実施形態を示す断面図。
【図３】同上実施形態を示す断面図。
【発明を実施するための形態】
【００１１】
以下、添付図面に基づいて、本発明の一実施形態を説明する。指針式計器装置は、文字板（表示板）１０，指針２０，ステッピングモータ（指針駆動部）３０，回路基板４０，導光部材５０，ケース体６０，遮光リング８０等を備えている。
【００１２】
文字板１０は、透光性樹脂からなる基材に透光性着色層，遮光層，光拡散層等を印刷することによって指標部を形成したものである。文字板１０の指標部は、指針２０の指示部２１によって指示される。指針２０は、各種の合成樹脂によって形成されており、ステッピングモータ３０によって回動される。回路基板４０は、平板状のガラスエポキシ系基材に配線パターンを形成した硬質プリント基板からなる。
【００１３】
回路基板４０の前面には、発光ダイオード（第一の発光素子）４１，発光ダイオード（第二の発光素子）４２，発光ダイオード（第三の発光素子）４３が搭載されている。発光ダイオード４１は、トップビュー型のＬＥＤ（Light Emitting Diode）からなるものであり、赤色の照明光を発する。発光ダイオード４２は、トップビュー型のＬＥＤ（Light Emitting Diode）からなるものであり、緑色の照明光を発する。発光ダイオード４３は、トップビュー型のＬＥＤ（Light Emitting Diode）からなるものであり、白色の照明光を発して、文字板１０の指標部を透過照明する。
【００１４】
導光部材５０は、透光性樹脂からなるものであり、ステッピングモータ３０の回動軸３１が貫通する筒状になっている。導光部材５０は、受光面５１，出光面５２を有している。ケース体６０は、白色の樹脂からなるものであり、遮光部６１，６２，反射部６３，６４を有している。ケース体６０の遮光部６１は、発光ダイオード４１が発した照明光が導光部２３に入射することを防止すると共に、発光ダイオード４２が発した照明光が指針２０の受光面２１ａに入射することを防止している。ケース体６０の遮光部６２は、発光ダイオード４１が発した照明光が文字板１０の指標部に照射されることを防止すると共に、発光ダイオード４３が発した照明光が指針２０の受光面２１ａに入射することを防止している。
【００１５】
ケース体６０の反射部６３は、発光ダイオード４３が発した照明光を反射部６４に反射させる。ケース体６０の反射部６４は、反射部６３で反射された照明光を更に反射させて、文字板１０の指標部に照射する。遮光リング８０は、不透明な樹脂からなるものであり、文字板１０の孔部１１に装着され、発光ダイオード４１が発した照明光が、指針キャップ２２よりも外側に漏れることを防止している。
【００１６】
指針２０は、指示部２１，指針キャップ２２，導光部２３，隠蔽部２４，遮光部２７を有している。指針２０の指示部２１は、透光性樹脂からなるものであり、文字板１０の指標部を指示する。指針２０の指示部２１は、受光面２１ａ，反射面２１ｂを有している。指示部２１の下面には、反射層２８が形成されている。
【００１７】
指針キャップ２２は、不透明な樹脂からなるものであり、指示部２１の受光面２１ａや反射面２１ｂが視認されないように覆っている。指針キャップ２２は反射部２２ａを有している。指針キャップ２２には貫通孔２２ｂが形成されており、この貫通孔２２ｂに導光部２３が挿通されている。
【００１８】
指針２０の導光部２３は、透光性樹脂からなるものであり、受光面２３ｂ，反射面２３ｃを有している。指針２０の導光部２３は、孔部２３ａを有する筒状になっており、この孔部２３ａにステッピングモータ３０の回動軸３１が挿入されている。導光部２３の受光面２３ｂは、導光部材５０の出光面５２に対向している。導光部２３の反射面２３ｃは、円錐面になっており、指針キャップ２２から突出している。
【００１９】
指針２０の隠蔽部２４は、不透明な樹脂からなるものであり、断面Ｔ字状になっている。隠蔽部２４は、導光部２３の孔部２３ａに挿入されている。隠蔽部２４は正面視で円形になっており、導光部２３の反射面２３ｃが視認されないように隠蔽している。
【００２０】
指針２０の遮光部２７は、白色の樹脂からなるものであり、略円筒形になっている。指針２０の遮光部２７は、導光部２３の周囲で且つ指針キャップ２２の下側に配置されている。指針２０の遮光部２７は、導光部２３と指示部２１との間に配設され、導光部２３から指示部２１に発光ダイオード４２の照明光が漏れることを防止すると共に、指示部２１から導光部２３に発光ダイオード４１の照明光が漏れることを防止している。
【００２１】
発光ダイオード４１が発した照明光は、指示部２１の受光面２１ａから入射し、反射面２１ｂで指示部２１の先端側に反射される。発光ダイオード４２が発した照明光は、導光部材５０の受光面５１から入射し、出光面５２から出射する。そして、導光部材５０の出光面５２から出射した照明光は、導光部２３の受光面２３ｂから入射し、反射面２３ｃにより反射されて、反射部２２ａに照射される。
【００２２】
本実施形態によれば、指針２０の指示部２１を赤色で照明すると共に、指針キャップ２２の前面を緑色に照明することができ、指針式計器装置が斬新な見栄えになる。なお、本発明は、本実施形態に限定されるものではなく、種々の変形が可能である。例えば、指針２０の隠蔽部２４は必ずしも必要ではなく、導光部２３が視認されても良い。また、発光ダイオード４１，４２，４３の発光色は任意である。
【符号の説明】
【００２３】
１０    文字板（表示板）
２０    指針
２１    指示部
２１ｂ  反射面
２２    指針キャップ
２３    導光部
２３ｃ  反射面（第二の反射面）
２７    遮光部
３０    ステッピングモータ（指針駆動部）
４１    発光ダイオード（第一の発光素子）
４２    発光ダイオード（第二の発光素子）
４３    発光ダイオード（第三の発光素子）
【図１】
0006031786.tif 000002
【図２】
0006031786.tif 000003
【図３】
0006031786.tif 000004